(57)【要約】【課題】  装置の小型化が実現できる画像読取装置を提供すること。【解決手段】  静止原稿の画像を読取る静止原稿読取部と、搬送原稿の画像を読取る搬送原稿読取部とを有し、前記原稿の画像を読取るための読取手段と、前記原稿を搬送するための搬送手段と、前記静止原稿のサイズ指標シートと、前記搬送原稿読取部において開閉する圧板側に搬送原稿を案内する透明フィルム部材とを備えた画像読取装置において、前記前記搬送原稿読取部と前記静止原稿読取部をサイズ指標シートで仕切る。【選択図】  図２
2010130078.tif 000002
【特許請求の範囲】
【請求項１】
静止原稿の画像を読取る静止原稿読取部と、搬送原稿の画像を読取る搬送原稿読取部と、前記原稿の画像を読取るための読取手段と、前記原稿を搬送するための搬送手段と、前記静止原稿のサイズ指標シートと、前記搬送原稿読取部において開閉する圧板側に搬送原稿を案内する透明フィルム部材とを備える画像読取装置において、
前記搬送原稿読取部と前記静止原稿読取部をサイズ指標シートで仕切ることを特徴とする画像読取装置。
【発明の詳細な説明】
【技術分野】
【０００１】
本発明は、静止原稿の画像及び搬送原稿の画像を読取ることのできる画像読取装置及びこれを用いた画像形成装置に関する。
【背景技術】
【０００２】
従来の複写機、ファクシミリ等の画像形成装置、或はスキャナ等の画像読取装置においては、図５に示すように、搬送原稿読取部と静止原稿読取部の仕切りはサイズ指標Ｃの付いたガイド部材２５で行われていた。（例えば、特許文献１参照。）
【特許文献１】特開2003−46722号公報
【発明の開示】
【発明が解決しようとする課題】
【０００３】
しかしながら、上記のような構成の場合、ガイド部材２５の厚みが厚いためガイド部材２５を搬送原稿読取部の読取ラインＬ２に近づけることが出来ず、装置幅が大きくなるという問題があった。
【０００４】
そこで本発明は、このような現状に鑑みてなされたものであり、装置の小型化が実現できる画像読取装置を提供することを目的とする。
【課題を解決するための手段】
【０００５】
本発明における画像読取装置は、静止原稿の画像を読取る静止原稿読取部と、搬送原稿の画像を読取る搬送原稿読取部と、前記原稿の画像を読取るための読取手段と、前記原稿を搬送するための搬送手段と、前記静止原稿のサイズ指標シートと、前記搬送原稿読取部において開閉する圧板側に搬送原稿を案内する透明フィルム部材とを備える画像読取装置において、前記搬送原稿読取部と前記静止原稿読取部をサイズ指標シートで仕切ることを特徴とする。
【発明の効果】
【０００６】
請求項１記載の発明によれば、装置の小型化を実現することが可能となる。
【発明を実施するための最良の形態】
【０００７】
次に、本発明の詳細を実施例の記述に従って説明する。
【実施例１】
【０００８】
以下、本発明を適用した画像読取装置の実施形態について、図面を参照して具体的に説明する。図１は画像読取装置の上方斜視図、図２は画像読取装置の圧板ユニット開いた状態の上方斜視図、図３は自動給送読取装置を示す主要断面図、図４は自動給送読取装置を示す主要断面図の一部拡大図である。
【０００９】
図１、図２に示すように、圧板ユニット１の下面の静止画像読取部には静止画像原稿読取時に原稿Ｄ２をプラテンガラス６に密着するため、白地板２が取り付けられており、ヒンジ３を回転中心として圧板ユニット１が開閉できる構成になっている。
【００１０】
また、図１、図３に示すように、搬送原稿読取部５は、略Ｕ字状の原稿搬送路（以下、Ｕターンパスという）７を有し、このＵターンパス７には、分離ローラ８及び分離パット９、分離ローラ８に当接している予備搬送部材１０、原稿Ｄ１の有無を検出する原稿有無センサ１１、原稿Ｄ１を搬送する搬送ローラ１３及び排紙ローラ対１４、及び、原稿Ｄ１の先端部及び後端部を検出する原稿エッジセンサ１５等が取り付けられた構成となっている。
【００１１】
密着型イメージセンサ１６は、光源としてのＬＥＤアレイから原稿Ｄ１の画像情報面に光を照射し、画像情報面で反射した反射光をセルフォック（登録商標）レンズでセンサ素子に結像して画像情報を読取るものである。
【００１２】
この搬送原稿読取部５においては、操作者が原稿Ｄ１を原稿トレイ４に載置するとき、原稿Ｄ１の読取画像面を上側にして装置の手前側からセットされるようになっている。このとき、原稿有無センサ１１により原稿Ｄ１が有ることが検知される。
【００１３】
そして、操作者が操作部１２から読取開始を指示すると、不図示の駆動部が回転し、予備搬送部材１０によって、原稿Ｄ1が分離ローラ８と分離パット９の分離部まで搬送され、原稿Ｄ１が１枚ずつに分離され、最上位の原稿Ｄ１が分離搬送される。また、分離された原稿Ｄ１が搬送ローラ１３によって、Ｕターンパス７に沿って搬送され、さらに密着型イメージセンサ１６の読取部へ搬送される。
【００１４】
原稿搬送部では、原稿エッジセンサ１５により原稿Ｄ１の先端部が検知されると、その位置から所定量搬送されたところで、密着型イメージセンサ１６による画像情報の読取りが開始される。
【００１５】
ここで、図４は図３の搬送原稿読取部５のＸ部拡大図である。密着型イメージセンサ１６の上方部には、原稿をプラテンガラス６へ押圧するための押圧手段２０が設けられている。また、押圧手段２０とプラテンガラス６との間には、プラテンガラス６から下流側ガイド部材１９へ原稿を受け渡すための透明なシート部材１８が設けられている。そのため、原稿の画像は、プラテンガラス６と透明なシート部材１８を介して、読み取られる。
【００１６】
読取開始後、原稿は排紙ローラ対１４に向かう。
【００１７】
そして、原稿エッジセンサ１５により原稿Ｄ１の後端部が検知されると、その位置から所定量搬送されたところで、密着型イメージセンサ１６による画像情報の読取りを終了する。そして、当該原稿Ｄ１は、排紙ローラ対１４によって装置外へ排出される。
【００１８】
このようにして、搬送原稿読取部５では、原稿有無センサ１１が原稿無しを検知するまで上述した読取動作を繰り返す。
【００１９】
次に、本発明の特徴である静止原稿のサイズ指標の位置を図２、図４を用いて説明する。
【００２０】
図２のＡ部、Ｂ部は１枚のプラテンガラスで構成されており、Ａ部が搬送原稿読取部でＢ部が静止原稿読取部である。ここで、搬送原稿読取部Ａと静止原稿読取部Ｂはサイズ指標シート１９で仕切られている。静止原稿Ｄ２は、サイズ指標シート１９の側面に突き当ててセットされ、画像の読取りが行われる。ここで、静止原稿のサイズ指標２１は、下流側ガイド部材１９の１９a面に設けられている。また、そのサイズ指標２１を透明なシート部材１８で覆うことで、搬送原稿による汚れから保護している。
【００２１】
以上のように、静止原稿のサイズ指標シート１９で搬送原稿読取部Ａと静止原稿読取部Ｂを仕切ることにより、読取ラインＬにサイズ指標シート１９を近づけることが出来、装置の幅を縮小することが可能となる。
【図面の簡単な説明】
【００２２】
【図１】本発明の画像読取装置の上方斜視図である。
【図２】本発明の画像読取装置の圧板ユニット開いた状態の上方斜視図である。
【図３】本発明の自動給送読取装置を示す主要断面図である。
【図４】図３の部分拡大図である。
【図５】従来例である。
【符号の説明】
【００２３】
１  圧板ユニット
２  白地板
５  搬送原稿読取部
６  プラテンガラス
１６  密着型イメージセンサ
１８  透明なシート部材
１９  サイズ指標シート
２０  押圧手段
【図１】
2010130078.tif 000003
【図２】
2010130078.tif 000004
【図３】
2010130078.tif 000005
【図４】
2010130078.tif 000006
【図５】
2010130078.tif 000007